(57)【特許請求の範囲】
【請求項１】
子供が入って遊ぶことができる玩具ハウスにおいて、
側壁部及び屋根部を有し、該側壁部及び屋根部が軟質発泡体からなり、
側壁部は複数からなり、各側壁部同士又は側壁部と屋根部とが、それぞれ着脱自在に組み合わされており、
側壁部及び屋根部の少なくとも一方が、軟質発泡体からなる円柱形状体又は円筒形状体或いはそれらの半割体を複数並設したもので構成され、
隣り合う側壁部が、側壁部構成部材である円柱形状体又は円筒形状体或いはそれらの半割体を交差させながら複数段積み重ねることによって構成され、
互いに交差する側壁部構成部材の少なくとも一方の交差部位表面には、他方の側壁部構成部材と係合して、両側壁部構成部材同士の位置決めとなる位置決め用切り欠き部が形成され、
互いに交差する側壁部構成部材の少なくとも一方が、凹部を有する雌部材と前記凹部に対して嵌合可能な凸部を有する雄部材とに分割され、前記凹部と凸部の嵌合により結合された雌部材と雄部材の間で位置決め用切り欠き部が構成され、かつ前記凹部と凸部の嵌合程度によって位置決め用切り欠き部の大きさが調節可能となっていることを特徴とする玩具ハウス。
【請求項２】
円柱形状体又は円筒形状体の外径が５〜２０ｃｍであることを特徴とする請求項１に記載の玩具ハウス。
【請求項３】
側壁部及び屋根部を構成する軟質発泡体のＪＩＳ  Ｋ６４００に規定の硬さ試験に準じて測定される２５％硬さが３０〜５００Ｎであることを特徴とする請求項１又は２に記載の玩具ハウス。
【発明の詳細な説明】
【０００１】
【発明の属する技術分野】
この発明は、一般家庭，デパートの遊び場，公園，幼稚園，保育園等に設置され、内部に子供が入って遊べる空間が形成される玩具ハウスに関する。
【０００２】
【従来の技術】
一般家庭，デパートの遊び場，公園，幼稚園，保育園等では、内部に子供が入って遊べる空間が形成される玩具ハウス（遊戯用組み立て家屋）が設置されることがある。従来、この種の玩具ハウスとしては、比較的硬質なプラスチックからなるものが一般的であった。ところが、前記硬質プラスチック製の玩具ハウスは、各部品が重く、しかも大きいため、移動させ難く、公園や友達の家等に手軽に持ち運んで組み立てたりすることができなかった。また、当該玩具ハウスは、硬質プラスチック製であるが故に、硬く、子供がつまずいて倒れたりしたときに、当該玩具ハウスにぶつかったりして、痛い思いをしたり、打撲傷になったりし易かった。
【０００３】
また、前記従来の硬質プラスチック製玩具ハウスは、四方の側壁部と屋根部とに分割され、側壁部と屋根部とを組み立てる際に、各側壁部に形成したボルト孔に、プラスチック製のボルトを挿入して各側壁部同士の連結を行っているのが一般的であった。しかしながら、このようにプラスチック製ボルトを用いて各側壁部の連結を行う場合、前記各側壁部のボルト孔との嵌合後、ボルトの嵌合部が潰れてしまい、ボルトのボルト孔からの抜き取りが困難になり、それが原因で、連結した各側壁部同士の再度の分解が不可能となるおそれがあった。前記各側壁部同士の再分解が不可能となる場合には、当該玩具ハウスの搬送や収納等の取り扱いを簡便に行えなくなってしまう。
【０００４】
なお、実開平５−３５１９９号公報，登録実用新案公報第３０５９００９号公報等では、各側壁部や屋根部がダンボール等の厚手の紙で構成された玩具ハウスが提案されている。しかしながら、この厚手の紙からなる玩具ハウスにあっては、各側壁部及び屋根部の厚みが薄く、内部の空間で子供が暴れて側壁部や屋根部にぶつかったりした場合には、簡単に折れたり、破損したりしてしまうおそれがあった。
【０００５】
【発明が解決しようとする課題】
この発明は前記の点に鑑み提案されたものであって、側壁部や屋根部等の各部が軽く、移動させ易いと共に、子供がつまずいて倒れたりした場合等に痛い思いをしなくて済み、また打撲傷になり難く、しかも各側壁部同士或いは各側壁部と屋根部の分解が可能であり、さらには簡単に破損したりしない玩具ハウスを提供するものである。
【０００６】
【課題を解決するための手段】
請求項１の発明は、子供が入って遊ぶことができる玩具ハウスにおいて、側壁部及び屋根部を有し、該側壁部及び屋根部が軟質発泡体からなり、側壁部は複数からなり、各側壁部同士又は側壁部と屋根部とが、それぞれ着脱自在に組み合わされており、側壁部及び屋根部の少なくとも一方が、軟質発泡体からなる円柱形状体又は円筒形状体或いはそれらの半割体を複数並設したもので構成され、隣り合う側壁部が、側壁部構成部材である円柱形状体又は円筒形状体或いはそれらの半割体を交差させながら複数段積み重ねることによって構成され、互いに交差する側壁部構成部材の少なくとも一方の交差部位表面には、他方の側壁部構成部材と係合して、両側壁部構成部材同士の位置決めとなる位置決め用切り欠き部が形成され、互いに交差する側壁部構成部材の少なくとも一方が、凹部を有する雌部材と前記凹部に対して嵌合可能な凸部を有する雄部材とに分割され、前記凹部と凸部の嵌合により結合された雌部材と雄部材の間で位置決め用切り欠き部が構成され、かつ前記凹部と凸部の嵌合程度によって位置決め用切り欠き部の大きさが調節可能となっていることを特徴とする。
【０００７】
請求項２の発明は、請求項１において、円柱形状体又は円筒形状体の外径が５〜２０ｃｍであることを特徴とする。
【０００８】
請求項３の発明は、請求項１又は２において、側壁部及び屋根部を構成する軟質発泡体のＪＩＳ  Ｋ６４００に規定の硬さ試験に準じて測定される２５％硬さが３０〜５００Ｎであることを特徴とする。
【０００９】
【発明の実施の形態】
以下、この発明の実施形態について説明する。図１はこの発明の一実施例に係る玩具ハウス全体を示す斜視図、図２〜図８は図１の玩具ハウスを組み立てる際の組み立て手順を示す図であり、図２は土台（基礎）の設置時を示す斜視図、図３は側壁部構成部材の雌部材と雄部材とを結合する際を示す部分斜視図、図４は土台の設置時における側壁部構成部材を交差する際を示す部分斜視図、図５は側壁部形成時（側壁部構成部材の積み上げ時）を示す斜視図、図６は側壁部の形成完了時を示す斜視図、図７は棟材架設時を示す斜視図、図８は側壁部への屋根部取付時を示す斜視図である。また、図９は他の実施例に係る側壁部構成部材の交差部位を示す部分斜視図である。
【００１０】
図１に示す玩具ハウス１０は、この発明の一実施例に係るものであって、内部に子供等が入って遊べる遊戯空間１０ａが形成される遊び具（遊戯用組み立て家屋）として、一般家庭，デパートの遊び場，公園，幼稚園，保育園等に設置される。この玩具ハウス１０は、土台部１５を含む所定数（ここでは４つ）の側壁部１１〜１４と、屋根部４０とを備えている。なお、側壁部の数は４つに限らず、側壁部を単体（一体成形品）としても良いし、側壁部の数を２つ、３つ或いは５つ以上としても良い。
【００１１】
前記各側壁部１１〜１４及び屋根部４０は軟質発泡体からなる。軟質発泡体としては、ポリウレタンフォーム、ポリオレフィンフォーム（ポリエチレンフォーム等）、シリコンフォーム等が挙げられ、中でも加工性及び柔軟性の点でポリウレタンフォームが好ましい。
【００１２】
前記のように各側壁部１１〜１４及び屋根部４０を軟質発泡体で構成すれば、各部が柔軟性やソフト性に優れたものになるため、子供がつまずいて倒れたりして当該玩具ハウス１０にぶつかった場合等に痛い思いをせず、打撲傷になるのも防止できる。また、軟質発泡体は軽量であるので、当該玩具ハウス１０は移動させ易く、保母さんやお母さん等の女性でも簡単に動かすことができ、さらには公園や友達の家等に手軽に持ち運ぶことが可能となる。また、前記軟質発泡体は弾性を有するので、子供が暴れて側壁部１１〜１４等にぶつかったり、叩いたりした場合でも、簡単に破損したりしない。さらに加えて、軟質発泡体は軽量であるために、当該玩具ハウスのサイズを大にしても重量がそれ程重くならず、子供に限らず大人までも中に入ることができる玩具ハウスとすることが可能となる。
【００１３】
次に、この実施例における各側壁部１１〜１４及び屋根部４０について順に詳述する。
各側壁部１１〜１４は、軟質発泡体からなる円柱形状体又は円筒形状体或いはそれらの半割体、ここでは円柱形状体とされた側壁部構成部材２０，２５を複数並設したもので構成されている。なお、図では、左側側壁部１１及び右側側壁部１２は第一側壁部構成部材２０（後述の土台構成部材３０を含む。）を複数並設したもので構成され、他方、前側側壁部１３及び後側側壁部１４は第二側壁部構成部材２５を複数並設されたもので構成されている。
【００１４】
また、この実施例においては、前記左側側壁部１１及び右側側壁部１２を構成する複数の第一側壁部構成部材２０のうち、最下の第一側壁部構成部材２０，２０の下部に半円柱形状体（円柱形状体を半割して下面が平らな面となった半割体）３１，３１が接着剤等で固着され、当該最下の第一側壁部構成部材及び半円柱形状体は土台構成部材３０，３０として構成されている。さらに、前記二つの土台構成部材３０，３０とそれらに交差する最下の第二側壁部構成部材２５，２５とで当該玩具ハウス１０の土台部１５を構成している。前記接着剤としては、ゴム系接着剤、ウレタン系接着剤、エマルジョン系接着剤等が挙げられ、その中でも臭いが少ない溶剤型接着剤（有機溶剤としてはアセトン、ペンタン、シクロヘキサン等）、スチレンブタジエンゴム、合成ゴム系接着剤、コニシ株式会社製のＺ−３等が好適である。
【００１５】
さらに、この実施例では、隣り合う各側壁部１１〜１４は、側壁部構成部材（円柱形状体）２０，２５を交差（図示の例では上下に交差）させながら複数段積み重ねることによってログハウス調に構成され、それらの内側には遊戯空間１０ａが区画形成されている。また、この実施例における前記右側側壁部１２には、図６〜図８に示すように窓部１２ａが形成されている。さらに、前記前側側壁部１３には出入口１３ａが形成され、該出入口１３ａを介して子供等の遊戯者が前記玩具ハウス１０内部の遊戯空間１０ａに対して出入りできるようになっている。
【００１６】
また、この実施例においては、図５等から容易に理解されるように、互いに交差する側壁部構成部材２０，２５の少なくとも一方、ここでは両方の交差部位の表面には、他方の側壁部構成部材と係合して、両側壁部構成部材同士の位置決めとなる位置決め用切り欠き部２１，２６が形成されている。これによって、簡単に各側壁部構成部材２０，２５を正しく交差させて組み合わせることができると共に、交差組み合わせ後に各側壁部構成部材２０，２５が外れたり、ずれたりするのを防ぐことができ、側壁部１１〜１４を形状安定性に優れたものとすることができる。また、前記各側壁部構成部材同士は着脱自在に組み合わされているので、各側壁部１１〜１４同士も着脱自在に組み合わされていることになる。なお、図示の例では、前記位置決め用切り欠き部２１，２６は各側壁部構成部材２０，２５の上部及び下部の両方に設けられている。但し、第二側壁部構成部材２５のうち、最下に配設されるもの（前記土台構成部材となる第一側壁部構成部材２０，２０の下側に配設されるもの）については、図４に示すように、上部にだけ位置決め用切り欠き部２６が形成される。
【００１７】
また、前記土台構成部材３０の半円柱形状体３１にあっては、図２に示すように、該半円柱形状体３１と共に土台構成部材３０を構成する第一側壁部構成部材２０の位置決め用切り欠き部２１の下方位置に分割部３２が設けられ、該分割部３２を介して前記位置決め用切り欠き部２１内への第二側壁部構成部材２５の挿入が可能となっている。
【００１８】
ここで、前記各側壁部構成部材２０，２５はセル（気孔）構造を有する軟質発泡体からなるため、微視的な視点から見れば、当該各側壁部構成部材２０，２５の表面には凹凸を有している。よって、前記各側壁部構成部材２０，２５の表面は摩擦抵抗が大きく、かつ各側壁部構成部材２０，２５（軟質発泡体）が有する柔軟性のため、上述したように位置決め用切り欠き部２１，２６で側壁部構成部材２０，２５同士が係合する構造にすれば、接着剤等を用いなくても、側壁部構成部材２０，２５同士を組み合わせて分離可能に接合することができる。しかも、前記組み合わせ接合時には、前記第一側壁部構成部材２０と第二側壁部構成部材２５の接合部（交差部）となる位置決め用切り欠き部２１，２６の近傍を押圧して変形させながら側壁部構成部材２０，２５同士を係合させることができるので、作業が容易であるにもかかわらず、前記押圧の力を解除すると、発泡体が有する復元力でもって各側壁部構成部材２０，２５が元の形状に回復し、それと前記発泡体特有の摩擦抵抗との相乗効果によって、接合部においての係合力が十分となって、各側壁部構成部材２０，２５同士が外れ難くなる。
【００１９】
さらに、前記位置決め用切り欠き部２１，２６については、前記側壁部構成部材２０，２５の少なくとも一方、ここでは左側側壁部１１及び右側側壁部１２を構成する第一側壁部構成部材２０が、図２〜図５から理解されるように、凹部２２ａを有する雌部材２２と前記凹部２２ａに対して嵌合可能な凸部２３ａを有する雄部材２３とに分割され、前記凹部２２ａと凸部２３ａの嵌合により結合された雌部材２２と雄部材２３の間で前記位置決め用切り欠き部２１が構成されるのが好ましい。このようにして位置決め用切り欠き部２１を構成すれば、前記凹部２２ａと凸部２３ａの嵌合程度（凸部２３ａの凹部２２ａ内への挿入量）によって前記位置決め用切り欠き部２１の大きさ（長さ）が調節可能となるため、仮に側壁部構成部材２０，２５（軟質発泡体）の加工精度が悪くなって、側壁部構成部材２０，２５（位置決め用切り欠き部２１，２６を含む。）の形状や寸法にばらつきが生じても、前記位置決め用切り欠き部２１の大きさの調節によって簡単かつ迅速に対応することができ、両側壁部構成部材２０，２５の交差組み合わせ接合を容易かつ確実に行うことができる。また、図示の例では、前記第一側壁部構成部材２０の雄部材２３の凸部２３ａ外周形状と、第二側壁部構成部材２５の位置決め用切り欠き部２６の凹面形状とを合致させることによって、当該位置決め用切り欠き部２１，２６における係合性を高めている。
【００２０】
この実施例では、前記位置決め用切り欠き部２１，２６を介して、互いに交差する側壁部構成部材２０，２５同士が係合しているが、これに限らず、図９に示すように、一方の側壁部構成部材２０Ａに他方の側壁部構成部材２５Ａの長手方向Ｘと平行な開口部Ｈを形成し、該開口部Ｈへ他方の側壁部構成部材２５Ａを挿入させ、両側壁部構成部材２０Ａ，２５Ａ同士を係合するようにしても良い。なお、前記開口部Ｈは側壁部構成部材２０Ａを貫通しても、しなくてもどちらでも良い。
【００２１】
また、この実施例では、図６及び図７に示されるように、前記前側側壁部１３及び後側側壁部１４の上部には、屋根部４０の傾斜に対応して該屋根部４０を支持するための傾斜支持部３５，３６が設けられている。ここでは、前記傾斜支持部３５，３６は両側部分が斜めにカットされた所定数（図では二つ）の円柱形状体３７，３８を上下に重ねて固着したものが用いられ、その下側の円柱形状体３８の両端が、左側側壁部１１及び右側側壁部１２の最上に位置する第一側壁部構成部材２０の位置決め用切り欠き部２１と係合している。なお、前記円柱形状体３７，３８同士を固着する方法としては、例えば、上述の土台構成部材３０を構成する最下の第一側壁部構成部材２０と半円柱形状体３１とを固着する接着剤等を用いることが挙げられる。勿論、接着剤を用いずに、両者を適宜手法により固着したり、両者を一体成形することも可能である。
【００２２】
さらに加えて、この実施例においては、前記前側側壁部１３及び後側側壁部１４の上部間、より詳しく言えば前記傾斜支持部３５，３６の上側円柱形状体３７，３７の上部間に、前記左側側壁部１１及び右側側壁部１２を構成する第二側壁部構成部材２５と平行な棟材（支持用架設部材）３９が架設されている。図では、前記傾斜支持部３５，３６の上側円柱形状体３７，３７の略中央に棟材用切り欠き部３７ａ，３７ａが形成され、該棟材用切り欠き部３７ａ，３７ａに前記棟材３９がはめ込まれている。
【００２３】
なお、前記棟材３９と左側側壁部１１及び右側側壁部１２の最上に位置する第二側壁部構成部材２５の内部に金属や硬質合成樹脂、紙管等の芯材（図示せず）を埋設して、それらの剛性を高めて、各側壁部１１〜１４に屋根部４０を載せた際に、各側壁部１１〜１４の形状を確実に維持できるようにしても良い。前記芯材の発泡体内への埋設手段としては、インサート成形のほか、円柱形状体の径よりも小さいパイプ状の刃物を回転させて、芯材の挿入部分をくり抜く円筒くり抜き加工を円筒形状体に施し、芯材を挿入する方法を挙げることができる。
【００２４】
続いて、屋根部４０について説明する。当該屋根部４０は、前記四方の側壁部１１〜１４と同様に、軟質発泡体（ここではポリウレタンフォーム）からなる円柱形状体又は円筒形状体或いはそれらの半割体等、ここでは円柱形状体とされた屋根部構成部材５０，５５を複数並設したものからなる。図示の屋根部４０は、前記屋根部構成部材５０，５５を複数並設してそれらを互いに固着した二つの斜面部材４１，４２を所定角度で組み合わせて固着した切妻屋根（山形形状の屋根）として形成されている。勿論、屋根部４０の形状は上記形状に限定されることはない。また、各屋根部構成部材５０，５５同士、及び斜面部材４１，４２の固着は、上述の土台構成部材３０を構成する最下の第一側壁部構成部材２０と半円柱形状体３１とを固着する接着剤等によってなされている。勿論、前記固着方法は、接着剤を用いない他の適宜手法が採用されても良い。
【００２５】
前記屋根部４０は前記各側壁部１１〜１４の頂部に載置されて着脱自在に組み合わされている。具体的には、前記屋根部４０は、左右の側壁部１１，１２の最上位置の第一側壁部構成部材２０，２０、及び前後の側壁部１３，１４の傾斜支持部３５，３６、並びに該傾斜支持部３５，３６間に架設された棟材３９に密接するように載置されている。また、各側壁部１１〜１４とそれらの上に載置された屋根部４０は、前述した発泡体の摩擦抵抗が大きいといった特性と屋根部４０の自重作用によって分離可能に連結されており、その連結後において当該屋根部４０は子供等が触れても容易にずれたりしない。
【００２６】
上述したように、各側壁部１１〜１４同士、又は側壁部１１〜１４と屋根部４０とが、それぞれ着脱自在に組み合わされて接合されるようにすれば、各構成部材１１〜１４，４０を分解することができ、当該玩具ハウス１０の販売時や持ち運び時や収納時等における取り扱いスペースを低減できる。特に、この実施例の如く、各側壁部１１〜１４を分解可能な複数の側壁部構成部材を並設したもので構成するようにすれば、前記取り扱いスペースの低減をさらに図ることができる。
【００２７】
ここで、好ましくは上記各側壁部１１〜１４及び屋根部４０、特には各側壁部１１〜１４を構成する円柱形状体又は円筒形状体或いはそれらの半割体（ここでは円柱形状体）２０，２５，３７〜３９，５０，５５の外径を５〜２０ｃｍとする。この理由は、外径が５ｃｍよりも小さいと、当該玩具ハウス１０の強度が弱くなり、一方、外径が２０ｃｍよりも大きくなると、持ち運びや組み立て時等における取り扱いが不便になるためである。
【００２８】
また、子供等の遊戯者の安全性向上と当該玩具ハウス１０の構造的強度の確保の点から、上記各側壁部１１〜１４及び屋根部４０を構成する軟質発泡体（ここではポリウレタンフォーム）のＪＩＳ  Ｋ６４００に規定の硬さ試験に準じて測定される２５％硬さは３０〜５００Ｎとされるのが良く、さらには４０〜４００Ｎとされるのが好ましい。
【００２９】
なお、この実施例の玩具ハウス１０においては、柱部や床部等がない構成となっているが、勿論、前記柱部や床部等を設けるようにしても良い。その場合、遊戯者の安全性や玩具ハウスの軽量化の点を考慮すれば、柱部や床部も軟質発泡体で形成するのが好ましい。
【００３０】
また、前記側壁部１１〜１４や屋根部４０等の玩具ハウス構成部材に対して各種の色を着色したり、絵等を付したりすれば、子供の色彩感覚やデザイン感覚が養える等の新たな効果が発現される。
【００３１】
次に、上記構成の玩具ハウス１０の組み立て手順の一例について述べる。
まず、図２の（Ａ）に示すように、玩具ハウス設置面上に第一側壁部構成部材２０，２０を含む土台構成部材３０，３０を所定間隔離して配置する。この際、配置される土台構成部材３０，３０（以下の第一側壁部構成部材２０，２０も同じ。）については、図３の（Ａ）の状態から（Ｂ）の状態となるように、予め雌部材２２の凹部２２ａに雄部材２３の凸部２３ａをはめ込んで雌部材２２と雄部材２３とを結合しておく。次いで、図２の（Ｂ）の如く、前記土台構成部材３０，３０下部の両端近傍に形成された位置決め用切り欠き部２１と、第二側壁部構成部材２５，２５の位置決め用切り欠き部２６とを係合させるようにして、土台構成部材３０，３０と第二側壁部構成部材２５，２５とを接合して土台部（基礎部）１５を形成する。このとき、図４の（Ａ）及び（Ｂ）に示すように、土台構成部材３０，３０を位置決め用切り欠き部２１位置で折り曲げながら、土台構成部材３０，３０の下方に第二側壁部構成部材２５，２５を位置させるようにすれば、前記位置決め用切り欠き部２１と２６の係合作業を簡単かつスムーズに進めることができる。
【００３２】
その後、図５の（Ａ）及び（Ｂ）に示すように、前記位置決め用切り欠き部２１と２６とを係合させながら、第一側壁部構成部材２０と第二側壁部構成部材２５とを交差させつつ所定数段だけ順次積み重ねることによって、図６の如く遊戯空間１０ａを区画する各側壁部１１〜１４を形成する。この際、右側側壁部１２の窓部１２ａ及び前側側壁部１３の出入口１３ａも同時に形成されることになる。前記窓部１２ａ及び出入口１３ａの形成は、該当箇所周辺に使用する第一側壁部構成部材２０及び第二側壁部構成部材２５の長さを適宜選択することによってなされる。
【００３３】
また、前記各側壁部１１〜１４形成の最終段階においては、最上に位置する第一側壁部構成部材２０の位置決め用切り欠き部２１に、傾斜支持部３５，３６の下側円柱形状体３８の両端を係合させることによって、前記傾斜支持部３５，３６を前側側壁部１３及び後側側壁部１４の上部に設ける。
【００３４】
前記各側壁部１１〜１４の形成完了後、図７に示すように、前記前側側壁部１３及び後側側壁部１４の上部間（より詳しく言えば傾斜支持部３５，３６の上側円柱形状体３７，３７間）に棟材３９を架設する。このとき、前記傾斜支持部３５，３６の上側円柱形状体３７，３７の上部略中央に形成された棟材用切り欠き部３７ａ，３７ａ内へ棟材３９の両端近傍をはめ込むようにする。
【００３５】
続いて、図８に示すように、前記各側壁部１１〜１４の上方より前記屋根部４０を各側壁部１１〜１４に近づけ、当該屋根部４０の裏面が左側側壁部１１及び右側側壁部１２の最上位置の第一側壁部構成部材２０，２０と、前側側壁部１３及び後側側壁部１４の傾斜支持部３５，３６と、前記棟材３９とに密接するように、各側壁部１１〜１４上に屋根部４０を載置すれば、玩具ハウス１０の組み立てが完了する。上の説明からも分かるように、実施例の玩具ハウス１０の組み立ては極めて簡単であり、誰でも容易に組み立てることができる。また、当該玩具ハウス１０の分解は、前記組み立て手順の逆の手順により容易に行うことができる。
【００３６】
なお、本発明は、上述した実施例に限定されるものではなく、発明の趣旨を逸脱しない範囲において構成の一部を適宜に変更して実施することができる。例えば、上記実施例においては、各側壁部同士又は側壁部と屋根部とがそれぞれ着脱自在に組み合わされて接合されているが、これに限定されず、各側壁部同士又は側壁部と屋根部とが取り外し不可能に接合されても良い。
【００３７】
また、上記実施例では、側壁部及び屋根部が、軟質発泡体からなる円柱形状体又は円筒形状体或いはそれらの半割体を複数並設したもので構成されているが、これに限らず、側壁部や屋根部を軟質発泡体からなる板状体で構成しても良い。
【００３８】
また、上の説明では、ログハウスタイプの玩具ハウスについて述べたが、本発明に係る玩具ハウスの形状は特に限定されるものではなく、例えば、直方体形状、ドーム形状，円錐形状，円筒形状等、他の形状の玩具ハウスにも適用することができる。
【００３９】
【発明の効果】
以上図示し、説明したように請求項１記載の玩具ハウスによれば、子供等がハウスの中に入って遊ぶことができ、子供等は玩具ハウスとの一体感を通して情操を養うことができる。また、当該玩具ハウスにおいては、側壁部及び屋根部が軟質発泡体からなるため、子供がつまずいたりして当該玩具ハウスにぶつかった場合等でも痛みがなく、安全性が高く、しかも安価に玩具ハウスを製造できる。さらに、軟質発泡体は軽量であるので、当該玩具ハウスは移動させ易いと共に、室内にも設置し易い。加えて、前記軟質発泡体は弾性を有するので、子供が暴れて側壁部等にぶつかったり、叩いたりした場合でも、簡単に破損したり折れたりしない。
【００４０】
請求項１記載の玩具ハウスによれば、複数の側壁部を有し、各側壁部同士又は側壁部と屋根部とが、それぞれ着脱自在に組み合わされているので、各構成部材を分解することができ、当該玩具ハウスの販売時や持ち運び時や収納時等における取り扱いが容易となり、その搬送や収納等を簡便に行うことができる。
【００４１】
請求項１記載の玩具ハウスにおいては、側壁部及び屋根部の少なくとも一方が、円柱形状体又は円筒形状体或いはそれらの半割体を複数並設したものからなるため、外観が良好となる。特に、請求項１記載の玩具ハウスの如く、隣り合う側壁部を円柱形状体又は円筒形状体或いはそれらの半割体を交差させながら複数段積み重ねることによって構成すれば、当該玩具ハウスはログハウスに似たものとなり、趣向性に優れる。
【００４２】
請求項１記載の玩具ハウスでは、互いに交差する前記円柱形状体等からなる側壁部構成部材の少なくとも一方の交差部位表面には、他方の側壁部構成部材と係合して、両側壁部構成部材同士の位置決めとなる位置決め用切り欠き部が形成されているので、各側壁部構成部材を簡単かつ正しく交差させて組み合わせることができ、側壁部の組み立てが容易となり、しかも交差組み合わせ後に各側壁部構成部材が外れたり、ずれたりするのを防ぐことができる。
【００４３】
請求項１記載の玩具ハウスでは、互いに交差する前記側壁部構成部材の少なくとも一方が、雌部材と雄部材とに分割され、前記雌部材の凹部と雄部材の凸部の嵌合により結合された雌部材と雄部材の間で位置決め用切り欠き部が構成され、かつ前記凹部と凸部の嵌合程度によって位置決め用切り欠き部の大きさが調節可能となっているので、仮に側壁部構成部材の形状や寸法にばらつき等が生じても、それに前記位置決め用切り欠き部の大きさを調節することによって簡単かつ迅速に対応することができ、各側壁部の組み立てが一層容易となる。
【００４４】
請求項２記載の玩具ハウスのように、側壁部又は屋根部を構成する円柱形状体又は円筒形状体の外径が５〜２０ｃｍとされれば、玩具ハウスの強度を高めることができ、しかも該玩具ハウスの搬送時や組み立て時等における取り扱いが容易となる。
【００４５】
請求項３記載の玩具ハウスの如く、側壁部及び屋根部を構成する軟質発泡体のＪＩＳ  Ｋ６４００に規定の硬さ試験に準じて測定される２５％硬さが３０〜５００Ｎとなるようにすれば、前記安全性の向上効果がより一層大になると共に、当該玩具ハウスの構造的強度を十分確保できる。
【図面の簡単な説明】
【図１】  この発明の一実施例に係る玩具ハウス全体を示す斜視図である。
【図２】  図１の玩具ハウスを組み立てる手順例における土台（基礎）の設置時を示す斜視図である。
【図３】  側壁部構成部材の雌部材と雄部材とを結合する際を示す部分斜視図である。
【図４】  土台の設置時における側壁部構成部材を交差する際を示す部分斜視図である。
【図５】  側壁部形成時を示す斜視図である。
【図６】  側壁部の形成完了時を示す斜視図である。
【図７】  棟材架設時を示す斜視図である。
【図８】  側壁部への屋根部取付時を示す斜視図である。
【図９】  他の実施例に係る側壁部構成部材の交差部位を示す部分斜視図である。
【符号の説明】
１０  玩具ハウス
１１〜１４  側壁部
２０，２５  側壁部構成部材（円柱形状体）
２１，２６  位置決め用切り欠き部
２２  雌部材
２２ａ  雌部材の凹部
２３  雄部材
２３ａ  雄部材の凸部
４０  屋根部
５０，５５  屋根部構成部材（円柱形状体）
【図１】
0004781579.tif 000002
【図２】
0004781579.tif 000003
【図３】
0004781579.tif 000004
【図４】
0004781579.tif 000005
【図５】
0004781579.tif 000006
【図６】
0004781579.tif 000007
【図７】
0004781579.tif 000008
【図８】
0004781579.tif 000009
【図９】
0004781579.tif 000010